(57)【要約】【課題】筆記先端部の突出状態を解除しやすいスライド式の多芯筆記具を簡単な構造で提供する。【解決手段】スライド式の多芯筆記具において、他方の摺動体にクリップを一体に形成または付設し、前記軸筒の外壁に、軸筒先端側から後端側に向かって、前記軸筒の軸心から離間する傾斜面を形成するとともに、前記一方の筆記体の筆記先端部を軸筒先端開口部から突出を維持した状態で、前記クリップの先端部の外壁を、前記軸筒の軸心方向に押圧することにより、前記クリップの内壁が前記傾斜面に当接して滑動し、前記一方の係合突起を前記係止部から解除し、前記一方の筆記体の筆記先端部を先端開口部より没入可能としたことを特徴とする。【選択図】          図１
2011121289.tif 000002
【特許請求の範囲】
【請求項１】
軸筒内に複数の筆記体を配設し、各筆記体の後部に連接した摺動体を、コイルスプリングにより軸筒後端方向に付勢して摺動自在に収納し、一方の摺動体を軸筒先端方向にスライドすることにより、一方の摺動体の後端部に形成した係合突起を係止部に係止して、一方の筆記体の筆記先端部を軸筒先端開口部からの突出を維持し、他方の摺動体を軸筒先端方向にスライドせしめることで、前記係止部に係止していた一方の摺動体の係合突起を係脱させ、一方の筆記体の筆記先端部を先端開口部より没入可能なスライド式の多芯筆記具において、前記他方の摺動体にクリップを一体に形成または付設し、前記軸筒の外壁に、軸筒先端側から後端側に向かって、前記軸筒の軸心から離間する傾斜面を形成するとともに、前記一方の筆記体の筆記先端部を軸筒先端開口部から突出を維持した状態で、前記クリップの先端部の外壁を、前記軸筒の軸心方向に押圧することにより、前記クリップの内壁が前記傾斜面に当接して滑動し、前記一方の係合突起を前記係止部から解除し、前記一方の筆記体の筆記先端部を先端開口部より没入可能としたことを特徴とするスライド式の多芯筆記具。
【請求項２】
前記軸筒に、軸筒先端側から後端側に向かって、前記軸筒の軸心から離間する第二傾斜面を形成するとともに、前記他方の筆記体の筆記先端部を軸筒先端開口部か突出を維持した状態で、前記クリップの先端部の外壁を、前記軸筒の軸心方向に押圧することにより、前記クリップの内壁が前記第二傾斜面に当接して滑動し、且つ前記クリップと第二傾斜面との当接部を支点として、前記一方の摺動体の後端部を軸心から離間させ、前記一方の係合突起を前記係止部から解除し、前記他方の筆記体の筆記先端部を先端開口部より没入可能としたことを特徴とする請求項１に記載のスライド式の多芯筆記具。
【請求項３】
前記クリップの先端部の外壁に、外方に向かって突出する押圧部を形成するとともに、前記押圧部の頂面が、前記クリップの先端から後端側に向かって、前記軸筒の軸心から離間する傾斜面としたことを特徴とする請求項１または２に記載のスライド式の多芯筆記具。
【発明の詳細な説明】
【技術分野】
【０００１】
本発明は、軸筒内に複数の筆記体を配設してなるスライド式の多芯筆記具に関する。
【背景技術】
【０００２】
従来から、スライド式の多芯筆記具として、例えば、一方の摺動体の隆起部を前軸の先端開口部方向にスライドすることにより、摺動体の後端部に形成した係止部を軸筒に形成した止め部に係止して、筆記体の筆記先端部を先端開口部から突出した状態を維持し、他方の摺動体の隆起部を前軸の先端開口部方向にスライドせしめることで、他方の摺動体の解除突起が一方の摺動体に当接するとともに、止め部に係止していた一方の摺動体の係止部を係脱させ、一方の筆記先端部を先端開口部より没入させ、さらに他方の摺動体を前進することにより他方の係止部が止め部に係止して他方の筆記体の筆記先端部の突出状態を維持する、筆記先端部を選択して出没可能な出没機構を有する、ボールペンレフィル等、複数の筆記体を軸筒内に収容した構造のスライド式の多芯筆記具は良く知られていて、摺動体にクリップを一体に形成した構造もよく知られている。
【０００３】
ところで、前記スライド式の多芯筆記具を、筆記体の筆記先端部が突出した状態でポケット等の布地に挟持した時、特に筆記体が、低粘度である水性インキや２５℃において粘度が３０００ｍＰａ・ｓ以下の油性インキ、あるいは剪断減粘性を付与したインキを収容したボールペンレフィルである場合には、前記インキがポケットの布地に染み込み汚してしまうという問題があり、突出状態を簡単に解除できるスライド式の多芯筆記具が切望されている。
【０００４】
こうした問題を鑑みて、本願出願人は、特許第３７１０１２５号「スライド式の多芯筆記具」にて、前記摺動体の後端に、軸心方向に摺動自在な押圧体を配設するとともに、前記押圧体を軸筒先端方向に押圧作動することによって前記摺動体が軸筒先端方向に連動して前進し、一方の筆記体の筆記先端部を軸筒先端開口部から突出した状態で、押圧体を押圧することにより他方の摺動体を軸筒先端方向に前進させ、一方の筆記体の筆記先端部を軸筒先端開口部から没入可能するスライド式の多芯筆記具を開示している。
【先行技術文献】
【特許文献】
【０００５】
【特許文献１】「特許第３７１０１２５号公報」
【発明の開示】
【発明が解決しようとする課題】
【０００６】
しかし、特許文献１のように、突出状態を簡単に解除できるスライド式の多芯筆記具とするためには、新たな部品を付設する必要がある等、低価格品に用いることは困難であり、さらに簡素化した構造のスライド式の多芯筆記具が望まれている。
【０００７】
本発明の目的は、上述した従来の問題点等に鑑み、筆記先端部の突出状態を解除しやすいスライド式の多芯筆記具を簡単な構造で提供することである。
【課題を解決するための手段】
【０００８】
本発明は、軸筒内に複数の筆記体を配設し、各筆記体の後部に連接した摺動体を、コイルスプリングにより軸筒後端方向に付勢して摺動自在に収納し、一方の摺動体を軸筒先端方向にスライドすることにより、一方の摺動体の後端部に形成した係合突起を係止部に係止して、一方の筆記体の筆記先端部を軸筒先端開口部からの突出を維持し、他方の摺動体を軸筒先端方向にスライドせしめることで、前記係止部に係止していた一方の摺動体の係合突起を係脱させ、一方の筆記体の筆記先端部を先端開口部より没入可能なスライド式の多芯筆記具において、前記他方の摺動体にクリップを一体に形成または付設し、前記軸筒の外壁に、軸筒先端側から後端側に向かって、前記軸筒の軸心から離間する傾斜面を形成するとともに、前記一方の筆記体の筆記先端部を軸筒先端開口部から突出を維持した状態で、前記クリップの先端部の外壁を、前記軸筒の軸心方向に押圧することにより、前記クリップの内壁が前記傾斜面に当接して滑動し、前記一方の係合突起を前記係止部から解除し、前記一方の筆記体の筆記先端部を先端開口部より没入可能としたことを特徴とする。
【０００９】
また、前記軸筒に、軸筒先端側から後端側に向かって、前記軸筒の軸心から離間する第二傾斜面を形成するとともに、前記他方の筆記体の筆記先端部を軸筒先端開口部か突出を維持した状態で、前記クリップの先端部の外壁を、前記軸筒の軸心方向に押圧することにより、前記クリップの内壁が前記第二傾斜面に当接して滑動し、且つ前記クリップと第二傾斜面との当接部を支点として、前記他方の摺動体の後端部を軸心から離間させ、前記他方の係合突起を前記係止部から解除し、前記他方の筆記体の筆記先端部を先端開口部より没入可能としたことを特徴とする。
【００１０】
また、前記クリップの先端部の外壁に、外方に向かって突出する押圧部を形成するとともに、前記押圧部の頂面が、前記軸筒先端側から後端側に向かって、前記軸筒の軸心から離間する傾斜面としたことを特徴とする。
【００１１】
本願発明の構成によれば、前記軸筒の外壁に、前記他方の筆記体の筆記先端部が先端開口部が没入した状態で、前記クリップの先端部の外壁を、前記軸筒の軸心方向に押圧することにより、前記クリップが当接して滑動する、軸筒先端側から後端側に向かって、前記軸筒の軸心から離間する傾斜面を形成してある。その結果、一方の摺動体を軸筒先端方向にスライドして、一方の筆記体の突出を維持した状態において、前記クリップの先端部の外壁を、前記軸筒の軸心方向に押圧することにより、前記クリップの内壁が、傾斜面を滑動してクリップが軸筒先端側に移動し、前記一方の摺動体の係合突起を前記係止部から解除することができる。
【００１２】
また、前記後軸に、前記他方の筆記体の筆記先端部を軸筒先端開口部か突出を維持した状態で、前記クリップの先端部の外壁を、前記軸筒の軸心方向に押圧することにより、前記クリップの内壁が当接して滑動する、軸筒先端側から後端側に向かって、前記軸筒の軸心から離間する第二傾斜面を形成することで、前記他方の筆記体の筆記先端部を軸筒先端開口部か突出を維持した状態で、前記クリップの先端部の外壁を、前記軸筒の軸心方向に押圧することにより、前記クリップの内壁が前記第二傾斜面に当接して滑動し、且つ前記クリップと傾斜面との当接部を支点として、前記一方の摺動体の後端部を軸心から離間させ、前記他方の係合突起を前記係止部から解除し、前記他方の筆記体の筆記先端部を先端開口部より没入可能としているため、一方の摺動体を操作することなく、把持部に近い位置にてクリップに連接した摺動体の係止を容易に解除することができる。
【００１３】
また、前記クリップの先端部の外壁に、外方に向かって突出する押圧部を形成することで、クリップの先端部の外壁を押圧し易くなるとともに、前記押圧部の頂面が、前記クリップの先端から後端側に向かって、前記軸筒の軸心から離間する傾斜することで、前記押圧部の押圧による、傾斜面及び第二傾斜面での前記クリップの滑動がスムーズになるので好ましい。
【発明の効果】
【００１４】
本発明は、前述した構成なので、筆記先端部の突出状態を解除しやすいスライド式の多芯筆記具を簡単な構造で提供することができた。
【図面の簡単な説明】
【００１５】
【図１】実施例１におけるスライド式の多芯筆記具を示す図である。
【図２】図１における一方の筆記体を突出した状態を示す図である。
【図３】図１における一部省略した要部拡大図である。
【図４】図１における軸筒のＡ−Ａ断面図である。
【図５】図１における他方の筆記体を突出した状態を示す図である。
【図６】図５における一部省略した要部拡大図である。
【発明を実施するための最良の形態】
【００１６】
以下、図面を参照して本発明の実施例を説明する。尚、図面中同じ部材、同じ部品については同じ番号を付してある。
【００１７】
実施例１
図１から図６に示す、スライド式の多芯筆記具１は、前軸２と後軸３を螺着して軸筒本体を構成し、後軸３内に配設した摺動体５の隆起部５ａ及び摺動体６に連接したクリップ７を、後軸３の開口部３ａから外部に露出して配設してある。各摺動体には、インキ色の異なる筆記体１０、１３を２本、コイルスプリング８、９により後方に付勢させて摺動可能に連接してある、従来から知られている出没機構のスライド式の多芯筆記具である。また、後軸３の内部には、区画部材４を配設してある。
【００１８】
筆記体１０、１３について詳述すると、筆記体１０、１３は、インキ収容筒１１、１４の先端部に、ボールを回転自在に抱持したボールペンチップからなる筆記先端部１２、１５を装着し、インキ収容筒１１、１４内に黒と赤の油性ボールペン用インキ（図示せず）を直に収容したボールペンレフィルからなる筆記体である。
【００１９】
一方の筆記体１０のボールペンチップからなる筆記先端部１２を前軸２の先端開口部２ａから突出させるには、摺動体５の隆起部５ａを前軸２の先端開口部２ａ方向へスライド（図２の矢印Ｆ方向）することにより、摺動体５に形成した係合突起５ｂが後軸３内に形成した係止部３ｂに係止して、一方の筆記体１０の筆記先端部１２を前軸の先端開口部２ａから選択して突出を維持することができる。
【００２０】
一方の筆記体１０の筆記先端部１２が前軸の先端開口部２ａから突出を維持した状態で、他方の摺動体６に連接したクリップ７を前軸２の先端開口部２ａ方向にスライドすることで、摺動体６の解除突起６ｃが摺動体５の係止を解除し、筆記体１０の筆記先端部１２を軸筒２内に没入させることができる。さらに、摺動体６に連接したクリップ７を前軸の先端開口部２ａ方向へスライドすることにより、他方の筆記体１３のボールペンチップからなる筆記先端部１５の突出状態を維持することができる。
【００２１】
また、一方の筆記体１０の筆記先端部１２を前軸の先端開口部２ａから突出した状態で、クリップ７の先端部の外壁に設けた、外方に向かって突出し、前軸の先端開口部２ａ側から後軸３側に向かって、後軸３から離間する傾斜面からなる押圧部７ａを押圧（図２の矢印Ｇ方向）すると、クリップ７の内壁に設けた突起部が、後軸３の外壁に形成した凹部Ｓ１によって得た、前軸の先端開口部２ａ側から後軸３側に向かって、軸心Ｊから離間する傾斜面３ｃに当接して滑動（図２の矢印Ｈ）して、摺動体６は前軸の先端開口部２ａ方向（図２の矢印Ｆ方向）に移動するため、摺動体６の解除突起６ｃによって、一方の摺動体５の係止を解除し、筆記体１０の筆記先端部１２を軸筒２内に没入させることができる。
【００２２】
また、他方の筆記体１３の筆記先端部１５を前軸の先端開口部２ａから突出した状態に対応した位置に、後軸３の外壁に形成した凹部Ｓ２によって得た、前軸の先端開口部２ａ側から後軸３側に向かって、軸心Ｊから離間する第二傾斜面３ｄを形成してあり、筆記体１３の筆記先端部１５を前軸の先端開口部２ａから突出した状態で、クリップの押圧部７ａを押圧（図６の矢印Ｇ方向）すると、クリップ７の内壁に設けた突起部が、傾斜面３ｄに当接して滑動（図６の矢印Ｈ）するため、摺動体６は、前軸の先端開口部２ａ方向（図６の矢印Ｆ方向）に移動するとともに、クリップ７と第二傾斜面３ｄとの当接部を支点として、摺動体６の後端部が持ち上がる（図６の矢印Ｉ方向）ため、摺動体６の係合突起６ｂを後軸の係止部３ｂから解除して、他方の筆記体１３の筆記先端部１５を軸筒２内に没入させることができる。
【００２３】
尚、クリップ７の先端部の外壁を押圧しやすいように、外方に突出した押圧部５ａを設けることが好ましい。また、押圧部５ａの頂面を、前軸の先端開口部２ａ側から後軸３側に向かって、軸心Ｊから離間するように傾斜させることにより、押圧力によってクリップが傾斜面３ｃ及び第二傾斜面３ｄを滑動し易くなるので好ましい。
【００２４】
本実施例では、便宜上、傾斜面及び第二傾斜面を、軸筒の外壁に凹部によって得ているが、軸筒の外壁に凸部を設け、前軸の先端開口部側から後軸側に向かって、後軸の軸心から離間する傾斜面及び第二傾斜面を設けてもよい。
【００２５】
また、本実施例では、便宜上、摺動体にクリップを付設しているが、摺動体とクリップとの連接構造は特に限定されるものではなく、一体に形成してもよい。また、筆記体と摺動体との連接構造も特に限定されるものではない。
【産業上の利用可能性】
【００２６】
本発明のスライド式の多芯筆記具は、前述したボールペン体を２本の多芯筆記具に限定されるものではなく、複数本の筆記体を収納したスライド式の多芯筆記具として幅広く用いることができる。
【符号の説明】
【００２７】
１  スライド式の多芯筆記具
２  前軸
２ａ  先端開口部
３  後軸
３ａ  開口部
３ｂ  係止部
３ｃ  傾斜面
３ｄ  第二傾斜面
４  区画部材
５、６  摺動体
５ａ  隆起部
５ｂ、６ｂ  係止部
５ｃ、６ｃ  解除突起
７  クリップ
７ａ  押圧部
８、９  コイルスプリング
１０、１３  筆記体
１１、１４  インキ収容筒
１２、１５  筆記先端部
Ｊ  軸心
【図１】
2011121289.tif 000003
【図２】
2011121289.tif 000004
【図３】
2011121289.tif 000005
【図４】
2011121289.tif 000006
【図５】
2011121289.tif 000007
【図６】
2011121289.tif 000008